(57)【要約】本発明は、脚部（２）と、前記脚部に連結された中間部品（３）と、前記中間部品（３）に連結され、２つの独立した分割座部（５ａ、５ｂ）からなる座席（４）を備えた座席装置（１）であって、前記分割座部は互いに独立して動かす事ができ、前記座席（４）と前記中間部品（３）の間に配置された連結装置（５）と、前記２つの独立した分割座部（５ａ、５ｂ）は前記連結装置によって併進運動で水平に動かす事ができる。
2013528430.tif 000002
【特許請求の範囲】
【請求項１】
脚部（２）と、前記脚部に連結した中間部品（３）と、前記中間部品に連結していて互いに隣り合うよう配置された二つの個別の分割座部（５ａ、５ｂ）で形成された座席（４）からなる座席装置（１）であって、
前記分割座部（５ａ、５ｂ）は互いに独立して動かすことができ、
連結装置（６）が前記座席（４）と前記中間部品（３）の間に配置されていて、
前記分割座部（５ａ、５ｂ）は前記連結装置（６）によって水平方向に並進運動を行うことができる座席装置。
【請求項２】
前記分割座部（５ａ、５ｂ）を全空間方向における並進運動および全空間軸を中心とする回転運動によって動かすための少なくとも一つの手段が、前記各分割座部の下の前記連結装置（６）上に配置されていることを特徴とする、請求項１に記載の座席装置。
【請求項３】
前記少なくとも一つの手段が少なくとも一つの弾性部品（１２）を備えていることを特徴とする、請求項１または２のいずれかに記載の座席装置。
【請求項４】
前記弾性部品（１２）は流体で満たされたチャンバーもしくは油圧シリンダとして設計されていることを特徴とする、請求項１または請求項２に記載の座席装置。
【請求項５】
前記連結装置（６）が前記分割座部（５ａ、５ｂ）間の水平上の間隔を調節する装置を備えていることを特徴とする、請求項１〜４のいずれかに記載の座席装置。
【請求項６】
前記連結装置（６）が前記分割座部（５ａ、５ｂ）の高さを調節する装置（３３、３５）を備えている事を特徴とする、請求項１〜５のいずれかに記載の座席装置。
【請求項７】
前記連結装置が少なくとも一つの前記分割座部に対し少なくとも一つの傾斜装置（７）を備えている事を特徴とする、請求項１〜６のいずれかに記載の座席装置。
【請求項８】
少なくとも一つの前記分割座部（５）の傾斜が、前記連結装置（６）または前記傾斜装置（７）、あるいはその両方に配置された調節装置（８）によって事前設定および／または制限される事を特徴とする、請求項７に記載の座席装置。
【請求項９】
リセット装置（９）が少なくとも一つの前記分割座部（５）を最初の位置に戻す事を特徴とする、請求項１〜８のいずれかに記載の座席装置。
【請求項１０】
前記座席装置が少なくとも一つのセンサー（３７）によって座席位置を記録し、フィードバック機能（３８，３９，４０）を備えている事を特徴とする、請求項１〜９のいずれかに記載の座席装置。
【請求項１１】
可変止め具（１６）または修正可能な調整素子（２６）、あるいはその両方が前記横方向支持体（２１）と相互作用して可動性を制限する事を特徴とする、請求項１〜１０のいずれかに記載の座席装置。
【請求項１２】
前記可変止め具（１６）または前記修正可能な調整素子（２６）、あるいはその両方を調節するための運動装置（１６´、２６´）を備えたことを特徴とする請求項１１に記載の座席装置。
【発明の詳細な説明】
【技術分野】
【０００１】
本発明は、脚部と、脚部に連結された中間部品と、中間部品に連結された二つの個別の分割座部、からなる座席であって、分割座部は互いに独立して動かす事ができる座席と、座席と中間部品の間に配置された連結装置と、を備えた座席装置に関する。
【背景技術】
【０００２】
DE42 10 134 A1によって開示された、脚部と脚部に連結した中間部品を備えたアクティブ動座席装置が知られている。２つの部分からなる座部が中間部品上に配置されている。２つに分かれた座部は垂直バネによって中間部品に互いに独立して連結されていて、それぞれが、可動状態で接合部に分割座部が設置されている支持部を備えており、前後に傾斜することができる。
【０００３】
DE100 35 473 B4に示された、シェル形をした座席部品と背中を支えるための背もたれ部品を備えた座席もまた知られており、背もたれ部品は、使用者の背骨と平行に走る軸を中心として駆動可能に取り付けられている。この座席部品は連結部品によって駆動可能な背もたれ部品に連結されていて、この連結部品は、背もたれの回転運動を背腹軸を中心として均等に座席部品の外旋運動へと伝える。また逆も同様である。
【発明の概要】
【発明が解決しようとする課題】
【０００４】
通常歩行中、骨盤は３次元の動き、すなわち、全空間軸を中心とした回転及び、空間軸の方向に並進を行う。歩行から着座に移るとき、上述の座席設計においては少なくとも１つの並進及び１つの回転の自由度が妨害される。そのような位置の変化によって背骨ないし椎間板への荷重もまた変化する。このように、歩行時の圧縮荷重は着座時には圧縮荷重及び引張荷重へと変化し、背面側の椎間板は引張荷重を受け、腹部側の椎間板は圧縮荷重を受ける。こうして、起立時に比べて着座時のこの時点で屈曲度が最大になることによって、椎骨Ｓ1−Ｌ4の部分の椎間板に最大荷重がかかる。椎骨Ｌ4−Ｌ5は仙骨に連結していて、背骨の屈曲と自由度の妨げが相互作用する時に、自然な動きが奪われる。その結果、個別の椎間板が早期に磨耗し変性することにつながる可能性がある。そして次には背痛や、場合によっては椎間板の永久的な損傷につながる。こうして、骨盤の６つのオプション運動（空間軸を中心とした３つの回転運動と３つの並進運動）を伴う自然な３次元運動が妨げられる。
【０００５】
本発明の目的は従来の座席における上述の課題を解決し、特に骨盤の３次元運動を可能にする座席装置を提供する事にある。
【課題を解決するための手段】
【０００６】
本目的は請求項１に記載した特徴を備えた座席装置の発明により解決される。
【０００７】
本発明の座席装置は脚部と、脚部に連結した中間部品と、中間部品に連結し二つの個別の分割座部からなる座席を備えている。この分割座部は、それぞれ独立して動かすことができ、座部と中間部品の間に配置された連結装置が、全空間方位における並進運動と全空間軸を中心とした回転運動によって分割座部を動かす少なくともひとつの手段を備えている。
【０００８】
本発明の概念によって、着座時に骨盤が制限される事なく３次元運動を行う機会がもたらされる。従って腰椎と骨盤は自然な動きを阻害される事はなく、全方向において並進かつ回転運動を行うことができる。本発明の連結装置における効果は、実質上、着座時の負荷が、腰椎及び骨盤のダイナミックな動きに置き換えられることにあり、これらの動きは歩行時に経験する動きに相当するものである。
【０００９】
着座時には、体重のほとんどが坐骨結節により支えられている。
【００１０】
座席の最大限の快適さを確保するためには、各分割座部の下にそのような手段を少なくとも１つは配置する事が好ましい。それにより、着座時における骨盤と坐骨結節の両方に最適なサポートを提供することができる。また様々な着座位置を取ることが可能になり、どのような位置や姿勢で着座していても満足と可動性が促進される。
【００１１】
この少なくとも一つの手段はまた、少なくとも一つの弾力部品または制振部品、あるいはその両方を備えている事が好ましい。それによって、全ての座席使用者の坐骨結節の解剖学的位置を簡単に適応させることが可能になる。
【００１２】
この弾力部品または制振部品、あるいはその両方は、骨盤の可動性を保証すると共に緩やかに支えるゴムブロックを備えている事が好ましい。あるいは、この弾力部品または制振部品あるいはその両方は、液体、特にゲルクッションで満たされたチャンバーであって、ゴムブロックのように、空間軸の方向における並進移動または空間軸、あるいはその両方を中心とする回転を可能にするように設計される。あるいは、この部品は油圧シリンダーから製作することも可能である。これらのどの実施形態においても、効果は同じである。
【００１３】
特に好ましい実施形態において、部品は各分割座部の下に設置され、両方の部品はお互いの動きが伝わるように連結されている。これにより、分割座部の下の一つの部品にかかる負荷は、ウォーターベッドにおけるように、もう一方の分割座部に移動する。このようにして、同一の圧力が各部品に加わる。
【００１４】
あるいは、弾力部品をバネで形成することもできる。このバネは渦巻バネからなっていてもよく、この場合でも分割座部は３次元に移動することができるという結果をもたらす。この場合、バネは側面の安定性を保証するために様々な角度で内側に取り付けることもできる。
【００１５】
さらに特に好ましい本発明の実施形態において、連結装置は分割座部の間の間隔を調節する機能を備えている。異なる年齢や性別の人々では坐骨結節間の距離も異なるため、この事実も考慮する必要がある。結果として、このような座席装置は年齢を問わず男女共に適している。この機能は例えば、回転させることで簡単な方法で間隔を調節できる手回しハンドルを備えてもよい。
【００１６】
その他の実施形態において、連結装置は、水平移動を可能にする少なくとも一つのスライド領域を備えている。この場合、ひとつの座面あたり少なくとも一つのスライド領域を備えることが有効である。さらに、この少なくとも一つのスライド領域は、座面と連結装置が例えばダブテールガイドによって導かれるリニアガイドとして設計されるのが好ましい。これらはまたローラーによって導かれても良い。
【００１７】
さらに、この連結装置は少なくとも一つの分割座部につき少なくともひとつの傾斜機能を備えていることが有効である。傾斜は好ましくは背腹軸を中心としてのみ可能であるが、特別な設計の場合においては、背腹軸からそれてもよい。このような構造では、骨盤のアウトフレア（外側に回旋する）に対抗するようになる。つまり、坐骨結節が内側に押され腸骨が押し広げられるようになる。生物力学の観点では、座面上では坐骨結節は外側に押されて、その結果腸骨が内側に動く（骨盤のインフレア。骨盤が内側に回旋する）方が良い。生物力学的な観点では、これは腰骨がわずかに前部で凹曲することにつながり、自然な姿勢に相当する。
【００１８】
少なくとも一つの分割座部の位置がもう一方の分割座部に対して最初から調節されていて、連結装置に配置された調節機能または傾斜機能、あるいはその両方によってその可動性が制限されていることが効果的である。これはまた、男女では坐骨結節間の距離が異なるために効果的である。このように、個人的かつ治療的、あるいはどちらか一方の目的によって強度とたわみの両方に関して傾斜や骨盤の動きを調整することが可能である。若年者は一般的に老年者よりも可動性があるため、座席は着座者の年齢に応じて調整することもできる。
【００１９】
断続的な位置の変化を支持するために、座席装置は少なくとも分割座部を最初の位置に戻すリセット装置を備えている事が効果的である。正確な操作を確実にするため、リセット装置は一つの分割座部と連結装置の間に配置されることが好ましい。各分割座部がこのようなリセット機能を備えている事が好ましい。
【００２０】
特定の実施形態において、この座席装置は、全空間方向における分割座部の位置を変化させる力を調整することのできる機能を備えていても良い。骨盤の動きに関する使用者の要求は、これにより的確に満たされる。これによってまた、例えば臀部｛でんぶ｝の手術に起因する骨盤のずれを治療することも可能にする。このような治療によって、着座位置におけるリセット力を調節することで筋肉を鍛える事ができる。労働時に着座する人は、このように痛みを和らげることができる。この結果、本発明における座席装置は痛みの緩和を助けるだけでなく、治療の過程を促進することもできる。
【００２１】
リセット装置はバネまたは張力バンド、あるいはその両方を備えている事が好ましい。個別の分割座部が簡単にリセットされ、リセット力はバネもしくは張力バンドの張力により調整される。
【００２２】
特定の効果的な実施形態において、この座席装置はロッキングスツールである。このようなロッキングスツールは、例えば、座部の前後の動きを可能にするバネが設置されていて、脚部に位置する振子接合部を中心に座席が揺れるものがDE 195 04 121の開示により知られている。本発明の座席装置が振子接合部を備えた脚部の上に設置されることで、座席使用者はより高い自由度と可動性の選択肢を得ることができる。特に、このような配置により、椎間板の伸展が手助けされるだけではなく促進されることによって、歩行中の骨盤の自然で三次元的な動きが着座時に再現される。
【００２３】
さらなる実施形態において、可変止め具によってこの座席装置の可動性が制限される事が有効である。これにより、臀部の動きに制限がある人が、可動性の増大に少しずつ慣れることが可能になる。こうした止め具によって、より可動性の低い座席使用者が、特にロッキングスツール装置における座席装置の高い可動性によって生じる過重や不安を感じることを防ぐことができる。
【００２４】
さらに好ましい実施形態において、連結装置は中間部品上で回転できるように設置される。これにより体軸を中心とした回転運動もまた可能になる。
【００２５】
分割座部が、それぞれ個別で動かす事のできる分割座部を止める事ができる装置を提供することもまた効果的である。それにより、座席の高度な可動性を好まない人が、上述の特徴によって、限られた時間ではあるが座席装置を使用できる。
【００２６】
座席の正しい位置を確保するために、この座席装置が少なくともひとつのセンサーによって座部位置を記録し、好ましくはそれをフィードバックできる設備を備えていることは効果的である。
【００２７】
これにより、着座時の座席装置の３次元的可動性により２つの分割座部間にくぼみや凹部ができることを防ぐことができる。上述のように、生物力学的観点において、これは坐骨結節同士の接近や骨盤の上部縁のアウトフレアにつながり、腸骨がわずかに前部で凹曲する結果をもたらす。立位では、腸骨はわずかに後部で凹曲しているのが自然であるため、これは防がなければならない。従って、凸状に傾斜した座部配置では、坐骨結節が外側を向きやすく、骨盤の上部縁のインフレアが起こりやすくなり、正しく自然な姿勢が支持されて、腸骨の適切な後部凹曲が促進される。
【００２８】
このセンサーは座部の全ての動きを記録してもよい。特に、センサーが傾斜、角回転および並進運動を検出することが好ましい。圧力センサーもまた可能である。それにより坐骨結節の現在位置を記録する事が可能になる。
【００２９】
座席装置は、使用者に座部が正しく調節されているかを知らせるための視覚的要素、または音響的要素、または振動的要素、あるいはその組み合わせを備えていてもよい。振動的要素は着座者に振動によってフィードバックしてもよいし、一方で例えば音響的要素は警告信号を発生させる事もできる。座席使用者に対する視覚的メッセージの場合は、例えば異なる色の光を使ってもよく、座部の異なる配置をそれぞれ、一つの色の光によって表示することができる。
【００３０】
この場合、座部が凹形に傾斜する場合、赤色光の信号を発生させることによって望ましくない骨盤の位置を表示し、水平や凸状傾斜は緑色光の信号を発生させる。座部が過度に凸状傾斜する場合も同様に望ましくない着座位置につながるため、その場合はオレンジ色の光信号を発生させる。白色の光信号は座部の同時傾斜を示すのに用いられる。
【００３１】
フィードバックのために使用するセンサーは座部間の理想的な間隔調節に用いてもよい。
【００３２】
このフィードバックのためのセンサーはコンピュータに接続していて、使用者が自分の座席位置をソフトウェアによって認識できることが理想的である。それらは例えば有線もしくは無線接続される。
【００３３】
このセンサーを備えた座席装置はまた、制御ソフトウェア（例えばコンピュータゲーム）やハードウェア（例えばリフティングプラットフォーム）に適している。
【００３４】
効果的な実施形態および特徴について、図と共に詳細に説明された後述の実施形態で示す。同一の番号は同一の部品を示している。
【図面の簡単な説明】
【００３５】
【図１】図１は斜め上からの座席装置の斜視図である。
【図２】図２ａは上から見た座席装置または連結装置の図である。
【図２ｂ】図２ｂは上から見た別の実施形態における座席装置または連結装置の図である。
【図２ｃ】図２ｃは分割座部に設けたリニアガイドの実施形態の断面図である。
【図２ｄ】図２ｄは、スライド配列を備えた他の実施形態における二つの分割座部を備えた座席装置
【図３ａ】図３ａは他の実施形態における二つの分割座部を備えた座席装置の側面図である。
【図３ｂ】図３ｂはジョイントを備えた座席装置の側面図である。
【図４】図４は分割座部の傾斜構造である。
【図５】図５は傾斜装置とリセット装置の別の実施形態である。
【図６】図６は別の実施形態のリセット装置を備える分割座部である。
【図７】図７は調節可能な連結装置を備えた分割座部である。
【図８】図８Ａ，Ｂ，Ｃはセンサーを備えた分割座部の各実施形態である。
【図９】図９は分割座部の各状態での調節について示す表である。
【図１０】図１０は分割座部に対するロッキング装置の実施形態である。
【００３６】
これらの実施形態の詳細な説明は、図面に示されている。
【発明を実施するための形態】
【００３７】
図１は、脚部２と、脚部に結合した円柱状の中間部品３と、中間部品３に結合した座席４を備えた座席装置１の略図である。空間座標軸ＸＹＺは、Ｚ軸が中間部品３の円柱部において上向きに指すように選択した。座席４は二つの分割座部５ａ、５ｂによって形成されていて、この分割座部は互いに独立して動かす事ができる。連結装置６は座席４と中間部品３の間に位置している。
【００３８】
連結装置６は長手方向支持体２２、横方向支持体２１および各分割座部の下に直接配置された部品１２からなる。部品１２は物理的な力を付与することで形状が変形され、付与された力が取り除かれれば再び原状の形に戻る物質からなる。適切な材料には例えばゴム、発泡体またはゲル（ゲル緩衝体）が含まれる。またウォーターベッドと同様に形成されてもよい。ずれる、伸張する、圧縮する各力及びモーメントによって、この部品はＸＹＺ座標軸における分割座部の三次元的動きを保証する。
【００３９】
図解した実施形態において、軸がＹ軸方向に伸びている半円筒形の部品２０は外表面が横方向支持体２１上に位置している。この部品２０は分割座部５ａにしっかりと結合しており、交差した矢印で示すような全ての可動オプションもしくは空間軸を中心とした回転運動は損なわれない。分割座部５ｂは部品２０のない別の実施形態を備える。この場合、分割座部５ｂは空間を三次元的に、すなわち全三空間軸方向に、および全空間軸を中心として回転する事ができる。
【００４０】
円柱状の中間部品３の外側を包むバネ１７は、バネを備えたときの着座や上下への揺動を可能にする。空気バネ１８は高さ調節の目的で中間部品３に配置されていて、このバネの働きは連結装置６の下にあるレバー１９によって調節されている。中間部品３は高さ調節とサスペンションの目的で伸縮自在（図解なし）に設計されている。中間部品３と脚部２の間に振子接合部を配置することも可能である。
【００４１】
図２ａは連結装置６の上部から見た図である。この図では、分割座部５ａ、５ｂは点鎖線で示されている。このＸ軸方向に伸びた２つの横方向支持体２１は互いに間隔をあけており、長手方向支持体２２によって結合している。長手方向支持体２２は中間部品３上に直接または間接的に配置されている。Ｙ軸方向に伸び、横方向支持体２１と長手方向支持体２２の各々の、Ｘ軸及びＹ軸方向にはみ出している部品１２は横方向支持体２１上に配置され、各分割座部５ａ、５ｂについては分割座部の下に配置されている。曲がらない特性次第で、より狭い部品１２を用いてもよい。しかし、部品１２の幅は全空間軸を中心とした回転運動および全空間方向における並進運動が可能であるように選択されなければならない。この目的のために、部品１２はゴムブロック、発泡体ブロック、ゲル緩衝体、または液体で満たされたチャンバー（ウォーターベッドに似た）として設計される。部品１２は分割座部および横方向支持体２１に取り付けられている二つの個別の部分からなっていてもよい。
【００４２】
分割座部の調節の実施形態が図２ｂから図２ｄに示されている。個人間で坐骨結節間の間隔が異なるという事実があるために、分割座部５ａと５ｂの間の間隔が調節可能であることが効果的である。この目的のために、横方向支持体はスライド２８０をその上で動かす事のできるレール２１０として設計される。各部品１２はスライド２８０上に配置される。適切な装置、例えばスライド２８０間の間隔を変化させるねじ棒駆動部２８１／２８０Ｃによって調節がなされる。この場合、ねじ棒２８１は各スライド２８０ａもしくは２８０ｂに割り当てられた領域において向かい合うピッチをもつように設計される。図２ｂ及び図２ｃに示された実施形態において、この装置はねじ棒２８１を回すことができるハンドル２８０ｃを備えている。図示されていない実施形態においてレバー構造を使用してもよく、これもまたねじ棒によって調節することができる。簡単な電動または油圧または空気圧による調節装置はエンジニアの専門知識の一部分により形成される。
【００４３】
図２ｄには、スライド２８０を、分割座部５ａと横方向支持体２１を結合し分割座部間の間隔を変化させるためのＸ軸方向の並進運動を可能にするダブテールガイド３６とする実施形態が示されている。
【００４４】
図３ａは連結装置６のための傾斜装置７の側面図、あるいはＸ−Ｚ面に沿った側面図である。同図には、二つの別の実施形態ＡおよびＢが再現されていて、それぞれが分割座部５ａ、５ｂのためのジョイント２８を持ち、両方の実施形態とも分割座部５ａ、５ｂと、横方向支持体２１と、長手方向支持体２２と、部品１２と、横方向支持体２１と長手方向支持体２２の間に設けられた連結ジョイント２３と、を備えている。ジョイント２３はゴムブロック１５として設計され、可動機能と制振機能の両方を形成している。
【００４５】
長手方向支持体２２とゴムブロック１５を交換することによって、中間部品３に対する直接固定を間接固定に置き換える事が可能になる。
【００４６】
実施形態Ａにおいてジョイント２８は、横方向支持体２１と部品１２の間に配置されている一方で、実施形態Ｂにおいては分割座部５ｂと部品１２の間に配置されている。ジョイント２８は半円筒の形状をしている。図示されていない他の実施形態においては、例えば球形や他の空間形態のように、望まれるロッキング運動を容易にする別の形状をとってもよい。安定性の理由から、一つの横方向支持体２１についての各分割座部はジョイント２８を備える。従って傾斜装置７によって分割座部５ａ、５ｂがＹ軸を中心に回転することが可能になる。はかりに似た、この全体的な配置により、分割座部５ａ、５ｂは横方向支持体２１と長手方向支持体２２の間の連結ジョイント２３によって全体を一度に動かす事ができ、その結果分割座部５ａ、５ｂをＺ軸方向に垂直に動かす事ができる。
【００４７】
この場合、可変止め具１６または調整素子２６、あるいはその両方を調節するための運動装置１６´、２６´を備えていてもよく、この装置により可動範囲を調節することができる。これは、止め具１６を上下に動かすことができ、または調整素子２６を横方向支持体２１と中間部品３の端部にある凸形支持体との間の空隙の中に、様々な深さで挿入することもできる簡単なスピンドル装置でもよい。図１から図３に図示されたピボット軸受の中には保持装置が備えられていて、これらの装置により各構造部品がお互いに対して自らの機能位置に保持され、求められる動きの実行が保証される。これらの保持装置は図示されていない。
【００４８】
個別の分割座部５ａ、５ｂの独立した垂直運動を可能にするために、図４には油圧シリンダ２４によりどのようにＺ軸方向への運動がおこなわれるかを示している。高さ調整またはＸ軸中心の傾斜の目的で、他の一組のシリンダ（図示なし）が二番目の横方向支持体上に配置されており、その結果一つの横方向支持体、および一つの分割座部、における二つの油圧シリンダによって求められる動きの自由度が保証される。各分割座部はまた、図示された配置によって他の全ての空間軸の中心を回転することができる。シリンダ２４は分割座部５ａの下、もしくは部品１２上に配置され、Ｘ軸方向において互いに間隔をあけている。分割座部における全てのシリンダは流体ライン１１によって互いに連結している。シリンダの動き、もしくは流体の流れは調節装置８によって制限され、分割座部を動きやすくしたり、動きにくくしたり、または固定したりすることができる。調節装置８は、高さ調節や傾斜運動を独立して制御できるように、予備の流体を備えている。調節装置８に求められる調節はレバー２７を通じてなされる。骨盤の不整列は例えば、分割座部５ａの動きを予め設定または制限する機能、あるいはその両方の機能のおかげで、座席装置１によって正すことができる。あるいは、分割座部における横方向支持体の一組の油圧シリンダは固定ベアリングに代えてもよい。この場合でも傾斜調節は可能であるが、高さ調節はもはや不可能である。分割座部が相五に依存して動く事ができるように各分割座部５ａ、５ｂにおける流体ライン１１を連結してもよい。油圧シリンダに代わり、ウォーターベッドと同様に働く構造、すなわち、互いに伝導的に連結した流体で満ちたチャンバーが各分割座部の下に配置されるようにしても良い。
【００４９】
図５は、傾斜装置７の他の実施形態を示している。図４とは異なり、油圧シリンダはバネ１３に置き換えられる。バネでは分割座部の高さ調節は不可能であるが、バネの厚みを変えることにより傾斜能力を備えることはできる。図５において、ロッキング装置もまた個人の裁量により様々な硬度の発泡体ブロック２９の形状に出来る。様々な硬度や幅、厚み（図示なし）の発泡体によって、回転と並進を容易にしたり難しくしたりすることができる。座席の快適さもまた影響を受ける。分割座部はバネの力によって最初の位置に押し戻される。バネ１３は従ってリセット装置９として作用する。さらに、例えばバネ３４として図示されているように座面と横方向支持体の間に異なる角度で配置されたバネのみを使用することもまた可能である。
【００５０】
図６には、他のリセット装置９が示されている。この場合分割座部５ａは張力バンド１４によって、円形、球形もしくは半円筒形の部品３０に対して固定されている。張力バンド１４は部品３０、座部５ａおよび横方向支持体２１を貫通する穴１４０を通る。この場合、分割座部は半円筒形の部品３０上にあり、凸部分は分割座部５ａに向かい合っている。調節装置２５は、横方向支持体２１の下に配置されていて、張力バンド１４の張力はこの装置によって調節されている。調節装置２５は雄ネジ３１を有するシリンダを備えており、このシリンダを通して張力バンド１４が挿入される。雌ネジ３２はシリンダ３１のネジとかみ合っていて、端部に補強材を備えた張力バンド１４はこのシリンダ３１の下端に固定されている。この下部の中空シリンダ３２をもう一方のシリンダ３１に向かって回転させることで、張力バンドの両端の間隔が変化し、従って張力も変化する。このように、リセット装置９の力は調節装置２５によって分割座部５ａの位置の変化を調節することができる。
【００５１】
図７は分割座部５ａと共に連結装置６を示す。分割座部は、プレート３３に連結しているゴムブロック１５上に配置されている。このゴムブロック１５は、分割座部に求められる可動性を与える。プレート３３は横方向支持体２１の凹部に配置され、凹部内の調節装置３５によって上げ下げできる。調節装置３５は横方向支持体２１に切り込まれたネジ穴とかみ合った位置決めネジの形状をしている。分割座部５ａの回転および並進、あるいは三次元運動は収縮手段によって制御される。すなわち、十分に収縮したゴムブロック１５はあらゆる動きを制限する。これに対して、最大限に伸びきったゴムブロックは最大限の動きを可能にする。
【００５２】
図８は本発明の座席装置において、センサーおよびフィードバック装置を備えたその他３つの実施形態Ａ−Ｃを示す。実施形態Ａは、傾きから、分割座部５ａもしくは坐骨結節の位置を記録する傾斜センサー３７を備えている。異なる色のＬＥＤ３８が横方向支持体２１の下に配置されていて、座部位置についてのフィードバックを与える。これらは分割座部のそれぞれの位置において点灯する。図９は分割座部の位置の各選択図を示す。この図ではａ）における座表面は凹状傾斜（内側に傾く）を表していて、この位置は坐骨結節が互いに近接し、望ましくないアウトフレア（骨盤の外側への回旋）をもたらすので、ＬＥＤは赤色に点灯する（図９ａ）×）。一方で、座表面が水平又はわずかに外側を向いている場合（凸状）、緑色が点灯する（図１０ｂ）レ）。座表面の過度の凸状傾斜の配置状態は望ましくない着座位置をもたらすので、その場合は使用者に正しい着座を促すために、ＬＥＤ３８をオレンジ色に点灯する（図１０Ｃ））。白色ＬＥＤは座面の同一方向傾斜を示すために用いられる（図１０ｄ）。このように使用者には自分の着座姿勢や骨盤位置が正しいかどうかの情報が常に与えられる。
【００５３】
図８の実施形態Ｂでは、上述した分割座部の変化に対応して異なる警告信号を発生する、横方向支持体２１の下に配置されたスピーカー３９を示す。スピーカーの代わりに、振動を通じて使用者に着座位置を知らせる振動素子を配置することもできる。振動素子はすくなくとも一つの分割座部の近くに、または接して、または内部に配置されることが好ましい。
【００５４】
図８の実施形態Ｃでは、座席装置はコンピュータ４０に接続されていて、ソフトウェアによって使用者に自らの着座位置を知らせる。この情報は使用者がより良い着座位置を得るためにどのように動けばよいかを画面上で示すという方法で伝達される。ブルートゥースなどのワイアレス技術によってコンピュータへ接続される。ケーブル接続もまた可能である。
【００５５】
図１０はお互いに独立した分割座部の動きに対する固定装置を示す。このような固定装置によって分割座部が動かないようにして、時には、様々な理由により座部の可動を必要としない使用者がこの座席を使用することを可能にする。
【００５６】
図示した実施形態において、ロッキング収納部（３０１ａ；３０１ｂ）は分割座部（５ａ、５ｂ）の下に配置されていて、可動の固定ロッド（３００）と相互作用する。この例では、ロッキング収納部（３０１ａ；３０１ｂ）は各分割座部にそれぞれ配置されているが、適当な寸法をとることで、中央に一つの固定装置を配置することもできる。図示の例において二つの固定ロッド（３００）は共有の作動ロッド（３０２）によって動かす事ができる。図示の位置では、ロッドは固定位置にある。ロッド（３００）をＸ軸方向に右に引っ張れば、固定ロッド（３００）の端部はロッキング収納部（３０１ａ）をはなれ、その結果分割座部（５ａ、５ｂ）の接続が切られて再び自由に動かすことができる。
【００５７】
このようなロッキング装置は図示した実施形態に限られる事はない。したがって、場合によっては、座表面上の過度な突出を避けるために、作動ロッドは連結式レバーを通じて固定ロッドを駆動させてもよい。
【００５８】
簡単な実施形態において、共有のロッド装置の代わりに個別の固定ロッドを使用しても良く、個別の固定ロッドの場合は二つの分割座部の全幅に渡って伸びたロッキングホルダーから完全に引き出す事ができる（図示なし）。
【００５９】
本発明の形態は上述した好ましい実施形態に制限されるものではない。むしろ、基本的に異なる実施形態においてさえ、図示した解決法を利用した実施形態は数多く考えられる。したがって、例えば記載した発明の保護という観点において、個別の実施形態を組み合わせてもよく、例えば油圧シリンダを図７に示した実施形態に配置してもよい。ゲルもしく発泡体の素材もまた、ゴムに加えて部品１２に使用してもよい。加えて、例えば三次元における自由な動きを可能にするゲル緩衝材を図８に配置してもよい。部品２０もまた特定の実施形態に加えても良い。振動的要素、または音響的要素、または視覚的要素、あるいはその組み合わせを備えた複数のセンサーの組み合わせを、座席位置を示すために用いても良い。
【図１】
2013528430.tif 000003
【図２ａ】
2013528430.tif 000004
【図２ｂ】
2013528430.tif 000005
【図２ｃ】
2013528430.tif 000006
【図２ｄ】
2013528430.tif 000007
【図３ａ】
2013528430.tif 000008
【図３ｂ】
2013528430.tif 000009
【図４】
2013528430.tif 000010
【図５−６ａ】
2013528430.tif 000011
【図６ｂ】
2013528430.tif 000012
【図７】
2013528430.tif 000013
【図８Ａ】
2013528430.tif 000014
【図８Ｂ】
2013528430.tif 000015
【図８Ｃ】
2013528430.tif 000016
【図９】
2013528430.tif 000017
【図１０】
2013528430.tif 000018
【国際調査報告】
2013528430.tif 000019
2013528430.tif 000020
2013528430.tif 000021
2013528430.tif 000022
2013528430.tif 000023
2013528430.tif 000024